(57)【特許請求の範囲】
【請求項１】
異なる方向を指向した状態と、同一方向を指向した状態とに切替可能な２つのディスプレイを有する携帯端末であって、
前記２つのディスプレイが同一方向を指向した状態であるか否かを検出するディスプレイ状態検出手段と、
前記２つのディスプレイが同一方向を指向した状態で、前記２つのディスプレイのいずれか一方に、他方の表示内容と連動した操作ガイダンスを表示する操作ガイダンス表示手段と、を備え、
前記２つのディスプレイが同一方向を指向した状態から異なる方向を指向した状態に遷移した場合、前記操作ガイダンス表示手段は、前記操作ガイダンスの表示を終了することを特徴とする携帯端末。
【請求項２】
前記２つのディスプレイが異なる方向を指向した状態から同一方向を指向した状態に遷移した場合、前記操作ガイダンス表示手段は、当該時点の表示内容に応じた操作ガイダンスを表示する請求項１に記載の携帯端末。
【請求項３】
更に、前記２つのディスプレイが同一方向を指向した状態で、前記２つのディスプレイの双方を利用して連続するコンテンツを表示する２画面連続表示機能を備えたこと、
を特徴とする請求項１又は２に記載の携帯端末。
【請求項４】
更に、前記操作ガイダンスを表示するディスプレイに、前記操作ガイダンスに代えて、時刻表示、電波受信レベル、電池充電状態のうちいずれか１以上の項目の表示を行う表示手段を備える請求項１から３いずれか一に記載の携帯端末。
【請求項５】
異なる方向を指向した状態と、同一方向を指向した状態とに切替可能な２つのディスプレイを有する携帯端末に搭載されたコンピュータに実行させる操作ガイダンス表示プログラムであって、
前記２つのディスプレイが同一方向を指向した状態であるか否かを検出する処理と、
前記２つのディスプレイが異なる方向を指向した状態から同一方向を指向した状態に遷移した場合に、前記２つのディスプレイのいずれか一方に、他方の表示内容に対する操作ガイダンスの表示を開始し、以後、前記他方の表示内容の遷移に従って、前記操作ガイダンスの内容を切り替える処理と、
前記２つのディスプレイが同一方向を指向した状態から異なる方向を指向した状態に遷移した場合、前記操作ガイダンスの表示を終了させる処理と、
を前記コンピュータに実行させる操作ガイダンス表示プログラム。
【請求項６】
異なる方向を指向した状態と、同一方向を指向した状態とに切替可能な２つのディスプレイを有する携帯端末に搭載されたコンピュータに実行させる携帯端末の表示制御方法であって、
前記コンピュータが、前記２つのディスプレイが同一方向を指向した状態であるか否かを検出し、
前記２つのディスプレイが異なる方向を指向した状態から同一方向を指向した状態に遷移した場合に、前記コンピュータは、前記２つのディスプレイのいずれか一方に、他方の表示内容に対する操作ガイダンスの表示を開始し、
前記コンピュータは、前記他方の表示内容の遷移に従って、前記操作ガイダンスの内容を切り替え、
前記２つのディスプレイが同一方向を指向した状態から異なる方向を指向した状態に遷移した場合、前記操作ガイダンスの表示を終了させること、
を特徴とする携帯端末の表示制御方法。
【発明の詳細な説明】
【技術分野】
【０００１】
本発明は、複数のディスプレイを備えた携帯端末、操作ガイダンス表示プログラム及び携帯端末の表示制御方法に関する。
【背景技術】
【０００２】
特許文献１に、異なる方向を指向した状態と、同一方向を指向した状態とに切替可能な２つの表示部を有する携帯電話端末が開示されている。同公報には、上記２つの表示部を一体の表示部として用いることが記載されている。また同公報には、上記２つの表示部の一方にＴＶ放送画面を表示し、他方を電子メールの入力操作の表示部として用いることが記載されている（００２６段落）。
【０００３】
また特許文献２には、２つ折りタイプの携帯電話端末において、カバー部の開閉状態に拘わらず視認可能なサブ表示部を有し、当該サブ表示部に、複数キーに対応付けられた操作ガイドを表示することが記載されている。
【０００４】
【特許文献１】特開２００５−２２３５０７号公報
【特許文献２】特開２００２−３６９２５２号公報
【発明の開示】
【発明が解決しようとする課題】
【０００５】
現在、操作ガイダンス機能を有する携帯端末が知られているが、現在操作中の機能を終了させてメニュー画面等から操作ガイダンス機能を起動しなければならず、操作ガイダンスを見ながら機能操作ができないという問題点がある。このために、不慣れな機能を利用する場合に、取扱説明書や、パーソナルコンピュータ等の別の機器からメーカー等が運営するサポートサイトを参照しているユーザも少なくない。
【０００６】
先に挙げた特許文献１の携帯電話端末では、２つの表示部を一体の表示部として使用する形態と、２つの表示部の一方にＴＶ画像を表示し、他方に電子メール表示画面を表示する形態とが記載されているが、操作ガイダンスを表示することについては記載されていない。
【０００７】
また、特許文献２には、カバー解放時に、操作部の複数のキーに対応付けられた操作ガイドを表示する旨が記載されているが、同公報でいうところの「操作ガイド」は、従来の携帯電話端末においてメイン表示部の最下段に表示されていた所謂ソフトキーに割り当てられている機能の表示にすぎず、ユーザが求める説明（操作ガイダンス）にはなっていない。
【０００８】
本発明は、上記した事情に鑑みてなされたものであって、その目的とするところは、現在操作中の機能を利用したまま別の画面にて操作ガイダンスを参照することのできる携帯端末を提供することにある。
【課題を解決するための手段】
【０００９】
本発明の第１の視点によれば、異なる方向を指向した状態と、同一方向を指向した状態とに切替可能な２つのディスプレイを有する携帯端末であって、前記２つのディスプレイが同一方向を指向した状態であるか否かを検出するディスプレイ状態検出手段と、前記２つのディスプレイが同一方向を指向した状態で、前記２つのディスプレイのいずれか一方に、他方の表示内容と連動した操作ガイダンスを表示する操作ガイダンス表示手段と、を備え、前記２つのディスプレイが同一方向を指向した状態から異なる方向を指向した状態に遷移した場合、前記操作ガイダンス表示手段は、前記操作ガイダンスの表示を終了する携帯端末が提供される。
【００１０】
本発明の第２の視点によれば、異なる方向を指向した状態と、同一方向を指向した状態とに切替可能な２つのディスプレイを有する携帯端末に搭載されたコンピュータに実行させる操作ガイダンス表示プログラムであって、前記２つのディスプレイが同一方向を指向した状態であるか否かを検出する処理と、前記２つのディスプレイが異なる方向を指向した状態から同一方向を指向した状態に遷移した場合に、前記２つのディスプレイのいずれか一方に、他方の表示内容に対する操作ガイダンスの表示を開始し、以後、前記他方の表示内容の遷移に従って、前記操作ガイダンスの内容を切り替える処理と、前記２つのディスプレイが同一方向を指向した状態から異なる方向を指向した状態に遷移した場合、前記操作ガイダンスの表示を終了させる処理と、を前記コンピュータに実行させる操作ガイダンス表示プログラムが提供される。
【００１１】
本発明の第３の視点によれば、異なる方向を指向した状態と、同一方向を指向した状態とに切替可能な２つのディスプレイを有する携帯端末に搭載されたコンピュータに実行させる携帯端末の表示制御方法であって、前記コンピュータが、前記２つのディスプレイが同一方向を指向した状態であるか否かを検出し、前記２つのディスプレイが異なる方向を指向した状態から同一方向を指向した状態に遷移した場合に、前記コンピュータは、前記２つのディスプレイのいずれか一方に、他方の表示内容に対する操作ガイダンスの表示を開始し、前記コンピュータは、前記他方の表示内容の遷移に従って、前記操作ガイダンスの内容を切り替え、前記２つのディスプレイが同一方向を指向した状態から異なる方向を指向した状態に遷移した場合、前記操作ガイダンスの表示を終了させる携帯端末の表示制御方法が提供される。
【発明の効果】
【００１２】
本発明によれば、機能ガイダンスを参照しながら該当機能の操作を行えるようになり、操作中の機能不明点や取扱説明書を読まなければならないという煩わしさからユーザを解放することが可能になる。
【発明を実施するための最良の形態】
【００１３】
続いて、本発明を実施するための最良の形態について、図面を参照して詳細に説明する。
【００１４】
［第１の実施形態］
図１は、本発明の第１の実施形態に係る携帯端末において、操作ガイダンス機能を利用している状態を表した図である。図１を参照すると、２つ折りタイプの携帯端末の内側に配置される第１ディスプレイ（メインディスプレイ）２４と、第２ディスプレイ（サブディスプレイ）２６と、が同一方向を指向し、第２ディスプレイ２６に、第１ディスプレイ２４の表示内容に対する操作ガイダンスが表示されている状態を表している。
【００１５】
例えば、ユーザは、図１の第２ディスプレイ２６に表示された操作ガイダンスを参照して、自身がスケジュール機能を利用中であること（第２ディスプレイ２６の第１行）、第１ディスプレイ２４下方に表示されたソフトキーのうち「新規」ボタンを押下するとスケジュールの登録を開始できること（第２ディスプレイ２６の第２行〜第４行）、カレンダーの数字を前記ソフトキーの「選択」ボタンで選択すると、その日のスケジュール（予定）が表示されること（第２ディスプレイ２６の第６行〜第８行）といった操作ガイダンスを参照しながら、スケジュール機能を利用することができる。
【００１６】
なお、ソフトキーに割り当てられている各機能は第１ディスプレイ２４の最下段に表示されており、本発明は、その上で更に必要な操作ガイダンスを提供することが可能となっている。
【００１７】
続いて、上記機能を備える携帯端末の構成例について説明する。図２は、本発明に係る携帯端末の構成例を表したブロック図である。図２を参照すると、本発明に係る携帯端末は、制御部２０、ＲＯＭ（Ｒｅａｄ−Ｏｎｌｙ  Ｍｅｍｏｒｙ）２１、ＲＡＭ（Ｒａｎｄｏｍ  Ａｃｃｅｓｓ  Ｍｅｍｏｒｙ）２２、第１ＬＣＤドライバ２３、第１ディスプレイ（メインディスプレイ）２４、第２ＬＣＤドライバ２５、第２ディスプレイ（サブディスプレイ）２６、スピーカ２７、入力部２８、送受信部３０、アンテナ３１及びディスプレイ状態検出手段４０と、を備えて構成されている。
【００１８】
制御部２０は、入力部２８のキーからの操作内容に基づいて、第１ＬＣＤドライバ２３を駆動し、これまでの携帯電話同様の画面を第１ディスプレイ２４に表示する。
【００１９】
ＲＯＭ２１には携帯電話の様々な機能に関するガイダンス情報が各機能の各画面と対応付けて格納されている。例えば、冒頭の背景技術欄に述べた携帯電話の操作ガイダンス機能で表示される、携帯電話の各機能における操作内容と処理内容等とを対応付けて説明する電子的なコンテンツを用いることができる。
【００２０】
また、制御部２０は、入力部２８のキーからの操作内容が操作ガイダンスの表示が求めるものである場合や、第２ディスプレイ２６が図１に示したように第１ディスプレイ２４と、同一方向を指向している場合において特定の機能が起動された際に、ＲＯＭ２１から適切なガイダンス情報を読み出し、第２ＬＣＤドライバ２５を駆動し、第１ディスプレイ２４の表示内容に即した操作ガイダンスを第２ディスプレイ２６に表示する。
【００２１】
また、制御部２０は、上記以外の場合は、従来の携帯端末のサブディスプレイと同様の表示を行う。例えば、待受中は電波の受信レベルや電池充電状態等の表示が行われ、音声着信中は相手の名前が表示され、アラーム通知中は所定のアラーム画面の表示が行われる。
【００２２】
ディスプレイ状態検出手段４０は、２つ折り型の携帯電話端末等で用いられている構成を用いることができる。その他、ＲＡＭ２２、スピーカ２７、入力部２８、送受信部３０、アンテナ３１は、いずれも携帯端末に標準的に備えられているものであり、本技術分野においてよく知られているものであるため、説明を省略する。
【００２３】
また、第１ディスプレイ２４と第２ディスプレイ２６の連結態様としては、第２ディスプレイ２６が第１ディスプレイ２４が収容された筐体にヒンジを介して取り付けられており、前記ヒンジを支点に第２ディスプレイ２６を転回させることにより、２つのディスプレイが同一方向を指向し、かつ、並列した状態にすることのできる図１や特許文献１に記載の構成を採用することができる。
【００２４】
続いて、本実施形態に係る携帯端末の動作について、図面を参照して詳細に説明する。図３は、本発明の第１の実施形態に係る携帯端末における基本的な動作を表したフローチャートである。
【００２５】
図３を参照すると、まず、待受状態（ステップＳ００１）から、特定の機能を利用すべく、アプリケーション（プログラム）が起動されると（ステップＳ００２のＹｅｓ）、制御部２０は、ディスプレイ状態検出手段４０を介して、第２ディスプレイ２６が所定位置（第１ディスプレイ２４と同一方向を向いた並列状態）になっているか否かを確認する（ステップＳ００３）。
【００２６】
ここで、第２ディスプレイ２６が、第１ディスプレイ２４と同一方向を向いた並列状態となっている場合、制御部２０は、第２ディスプレイ２６への操作ガイダンスの表示を開始する（ステップＳ００７）。
【００２７】
一方、ステップＳ００３で、第２ディスプレイ２６が、第１ディスプレイ２４と同一方向を向いた並列状態以外の位置にある場合、制御部２０は、第１ディスプレイ２４への当該機能に応じた表示を行うが、第２ディスプレイ２６への操作ガイダンスの表示は行わず、例えば、時刻表示や電波の受信レベルや電池充電状態等の通常表示を行う（ステップＳ００４）。
【００２８】
上記通常表示中に、ユーザが操作ガイダンスの表示が必要であると判断し、第２ディスプレイ２６の向きを変え、第１ディスプレイ２４と同一方向を向いた状態になると（ステップＳ００５のＹｅｓ）、制御部２０は、第２ディスプレイ２６への操作ガイダンスの表示を開始する（ステップＳ００７）。
【００２９】
例えば、図１に示したように、スケジュール機能を利用中である場合には、第２ディスプレイ２６には、スケジュール機能の操作ガイダンスが表示される。同様に、着信音の設定機能を利用しており、第１ディスプレイ２４に着信音設定画面が表示中であれば、第２ディスプレイ２６には、着信音設定画面の操作ガイダンスとして、着信音パターンの選択、着信音パターンの読込先の変更、着信音パターン決定操作等を行うための操作内容が表示される。
【００３０】
一方、操作ガイダンスの表示が必要でなく、第２ディスプレイ２６が第１ディスプレイ２４と同一方向を向いた並列状態でない場合（ステップＳ００５のＮｏ）、制御部２０は、ステップＳ００６を経て、ステップＳ００４の通常表示を継続する。
【００３１】
また、操作ガイダンスを表示している状態で、ユーザが、操作ガイダンスの表示が不要になったと判断し、例えば、第２ディスプレイ２６を元の状態（同一方向を向いていない状態）に戻すと（ステップＳ００８のＮｏ）、制御部２０は、第２ディスプレイ２６には、ステップＳ００４の通常表示を再開する。
【００３２】
上記ステップＳ００４の通常表示及びステップＳ００７の操作ガイダンス表示制御は、特定のアプリケーション（プログラム）の終了操作が行われるまで継続され（ステップＳ００６のＮｏ、ステップＳ００９のＮｏ）、その間、ユーザは、必要に応じて第２ディスプレイ２６の向きを変え、その場面に応じた操作ガイダンスを閲覧することが可能となる。
【００３３】
以上のように、本実施形態によれば、初めて利用する機能を利用する際や操作がわからなくなった際に、第２ディスプレイ２６を第１ディスプレイ２４と同一方向に向けるだけで、各種機能の操作画面と操作ガイダンスとを同時に確認できるようになる。
【００３４】
［第２の実施形態］
続いて、上記第１の実施形態に係る携帯端末に機能を追加した第２の実施形態について説明する。図４は、本発明の第２の実施形態に係る携帯端末において、電子ブック閲覧機能を利用している状態を表した図である。図４を参照すると、第１ディスプレイ２４と、第２ディスプレイ２６とが同一方向を指向し真横に並んだ状態となっており、第１ディスプレイ２４及び第２ディスプレイ２６を用いて、メモリーカードやインターネットを介して読み込んだ２頁分の情報が一括表示されている。
【００３５】
本実施形態によれば、操作ガイダンス機能に加えて、紙媒体を読むのと同様の感覚で電子小説や電子コミックを読むことが可能になる。
【００３６】
以上、本発明の好適な実施形態を説明したが、本発明は、上記した各実施形態に限定されるものではなく、本発明の基本的技術的思想を逸脱しない範囲で、更なる変形・置換・調整を加えることができる。例えば、上記した実施形態では２つ折り型の携帯電話端末に本発明を適用した例を挙げて説明したが、異なる方向を指向した状態と、同一方向を指向した状態とに切替可能な２つのディスプレイを有する各種の携帯端末に適用することが可能である。
【図面の簡単な説明】
【００３７】
【図１】本発明の第１の実施形態に係る携帯端末において、操作ガイダンス機能を利用している状態を表した図である。
【図２】本発明に係る携帯端末の構成例を表したブロック図である。
【図３】本発明の第１の実施形態に係る携帯端末の動作を表したフローチャートである。
【図４】本発明の第２の実施形態に係る携帯端末において、電子ブック閲覧機能を利用している状態を表した図である。
【符号の説明】
【００３８】
２０  制御部
２１  ＲＯＭ（Ｒｅａｄ−Ｏｎｌｙ  Ｍｅｍｏｒｙ）
２２  ＲＡＭ（Ｒａｎｄｏｍ  Ａｃｃｅｓｓ  Ｍｅｍｏｒｙ）
２３  第１ＬＣＤドライバ
２４  第１ディスプレイ（メインディスプレイ）
２５  第２ＬＣＤドライバ
２６  第２ディスプレイ（サブディスプレイ）  
２７  スピーカ
２８  入力部
３０  送受信部
３１  アンテナ
４０  ディスプレイ状態検出手段
【図１】
0005067094.tif 000002
【図２】
0005067094.tif 000003
【図３】
0005067094.tif 000004
【図４】
0005067094.tif 000005